【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
バレルと、引き込み可能な針と、針引き込みアセンブリと、前記バレルと摺動自在に係合するプランジャとを有する医療装置であって、
前記針引き込みアセンブリは、前記針の引き込み中に前記バレルに対して前記針を後方に突出させるように付勢され、前記バレルと接触するリテーナ部材によって少なくとも部分的に、前記針の引き込みの前にて、前記バレルに対して所定の位置に保持されており、
前記プランジャは、引き込み後に前記針が露出しないように、前記針引き込みアセンブリを十分に受け入れるように構成された内部引き込み室と、前記プランジャ内に配置されており、環状部分が前記プランジャ上を後方に移動可能である弾性プランジャシールとを備えており、
前記プランジャシールは、前記針の引き込み前又は引き込みの間、前記引き込み室への開口に張られてシールする弾性ウェブを更に備える医療装置。
【請求項２】
前記針引き込みアセンブリは、前記プランジャが前記バレル内を前方に移動すると、前記弾性部材に接触して、伸ばして、切断するように構成された後方への突出構造を備える、請求項１に記載の医療装置。
【請求項３】
前記針引き込みアセンブリは、前記プランジャが前記バレル内を前方に移動すると、前記弾性部材に接触して、伸ばして、切断するように構成された、後方に延びる複数の突起部を備える、請求項１に記載の医療装置。
【請求項４】
前記プランジャは、前記プランジャが前記バレル内を前進すると、前記リテーナ部材と接触して、前記バレルから前記針引き込みアセンブリを解放する、請求項１に記載の医療装置。
【請求項５】
前記プランジャシールは、前記プランジャが前記バレル内を前進すると、前記リテーナ部材と接触して、前記バレルから前記針引き込みアセンブリを解放する、請求項４に記載の医療装置。
【請求項６】
前記リテーナ部材は、前記プランジャシールの少なくとも一部分と、前記プランジャの少なくとも他の一部分と接触する、請求項５に記載の医療装置。
【請求項７】
前記弾性ウェブの一部は、前記プランジャが前記バレル内を前進すると、前記リテーナ部材と接触して前方へ移動させて、前記針引き込みアセンブリを前記バレルから解放する、請求項５に記載の医療装置。
【請求項８】
前記環状本体の少なくとも一部が前記プランジャ上を後方に移動すると、前記弾性ウェブが伸びる、請求項１に記載の医療装置。
【請求項９】
シリンジとして構成されている、請求項１に記載の医療装置。
【請求項１０】
前記プランジャは、前記リテーナ部材に接触するように構成された先端部を備えており、前記プランジャを介して前記リテーナ部材にかかる力は、前記リテーナ部材の一部に集中する、請求項１に記載の医療装置。
【請求項１１】
前記先端部は、前記リテーナ部材と接触するように構成された接触面を備えており、前記プランジャを介して前記リテーナ部材にかかる力は、最初に、前記リテーナ部材の後向き部分の片側に集中する、請求項１０に記載の医療装置。
【請求項１２】
前記プランジャは、前記リテーナ部材と接触するように構成された先端部を備えており、前記プランジャを介して前記リテーナリングにかかる力は、前記リテーナ部材の周囲に略均一に分配される、請求項１に記載の医療装置。
【請求項１３】
前記プランジャは、前記プランジャシールを介して、前記リテーナ部材と間接的に接触するように構成されている、請求項５に記載の医療装置。
【請求項１４】
前記針引き込みアセンブリは、前記引き込み室に向けて、前記引き込み可能な針を後方に付勢するバネを備える、請求項１に記載の医療装置。
【請求項１５】
前記引き込みアセンブリは、前記引き込み室に向けて、前記引き込み可能な針を付勢するバネを備えており、前記バネが、引き込みの間に、前記弾性ウェブを通って上方に伸びることができるように、前記引き込み可能な突出構造が前記弾性ウェブを切断する、請求項２に記載の医療装置。
【請求項１６】
前記針は、前記針引き込みアセンブリに着脱自在に取付け可能であって、前記装置の使用の間又は引き込み前に取り換え可能である、請求項１に記載の医療装置。
【請求項１７】
前記プランジャは、前記プランジャを介して前記リテーナ部材の一部にかかる前向きの力が集中するように構成されている、請求項１に記載の医療装置。
【請求項１８】
前記リテーナ部材には、弾性がある、請求項１に記載の医療装置。
【請求項１９】
前記リテーナ部材は、弾性リングである、請求項１８に記載の医療装置。
【請求項２０】
前記リテーナ部材と前記プランジャシールの各々は、前記バレルの内壁と協動して、前記装置内にシールされた液収容室をもたらす、請求項１に記載の医療装置。
【請求項２１】
前記プランジャは、前記引き込み室への開口を囲む前向きの平坦な面を有する、請求項１に記載の医療装置。
【請求項２２】
前記プランジャシールの前記環状本体は、長手方向に離間している外向きの複数の環状リッジを有しており、前記複数の環状リッジは、前記バレルと摺動自在に係合する、請求項１に記載の医療装置。
【請求項２３】
前記プランジャシールは、少なくとも１つの内向きの環状凹部を有する環状本体を備える、請求項１に記載の医療装置。
【請求項２４】
前記プランジャは、少なくとも１つの外向きの突起部を有する環状の側壁を備えており、前記少なくとも１つの外向きの突起部は、前記プランジャシールの前記環状本体の内向きの前記環状凹部内に受け入れられる、請求項２３に記載の医療装置。
【請求項２５】
前記リテーナ部材は、弾性部材から形成される、請求項１に記載の医療装置。
【請求項２６】
前記針引き込みアセンブリは、前記弾性ウェブと接触するように構成されている後方への突出構造を備える、請求項１に記載の医療装置。
【請求項２７】
前記針引き込みアセンブリは、少なくとも１つの後方への突出構造を備えており、前記少なくとも１つの後方への突出構造は、引き込みの直前又は引き込みの間に、前記プランジャが前記バレル内に押し下げられると、前記引き込み室への開口を超えて伸びる前記弾性部材と接触して、貫通するように構成されている、請求項１に記載の医療装置。
【請求項２８】
前記針引き込みアセンブリは、少なくとも１つの後方への突出構造を備えており、前記少なくとも１つの後方への突出構造は、引き込みの直前又は引き込みの間に、前記プランジャが前記バレル内に押し下げられると、前記引き込み室の開口を超えて伸びる前記弾性部材と接触して、移動させるように構成されている、請求項１に記載の医療装置。
【請求項２９】
前記医療装置は、使い捨てシリンジである、請求項９に記載の医療装置。
【請求項３０】
前記医療装置の前記バレルは、プラスチックで作製される、請求項１に記載の医療装置。
【請求項３１】
前記医療装置の前記バレルは、ガラスで作製される、請求項１に記載の医療装置。
【請求項３２】
前記プランジャの側壁は、プラスチックで作製される、請求項２４に記載の医療装置。
【請求項３３】
前記プランジャの側壁は、ガラスで作製される、請求項２４に記載の医療装置。
【請求項３４】
前記プランジャは、長手方向に段差がある前向きの平坦面を有する、請求項１に記載の医療装置。
【請求項３５】
プランジャの側壁は、周方向に離間した、軸方向に延びる複数のリブを備えており、前記複数のリブは、針引き込み前に、前記プランジャシールの少なくとも一部が後方へ移動できるように、前記プランジャシールの後に充分な距離を取って配置されている、請求項２４に記載の医療装置。
【請求項３６】
前記プランジャシール及びリテーナ部材は、異なる弾性部材から作製されている、請求項１に記載の医療装置。
【請求項３７】
前記プランジャシールが、前記医療装置で用いられる治療流体の使用が承認されており、成形可能な弾性材料で作製される、請求項１に記載の医療装置。
【請求項３８】
前記プランジャシールは、十分な厚さと耐久性を有する成形可能な弾性材料で作製されており、前記針の引き込み前に伸ばされて、薄くできて、前記針の引き込みアセンブリから後方へ突出する構造によって貫通されると、直ぐに裂けるか、又は切断される、請求項１に記載の医療装置。
【請求項３９】
前記リテーナ部材は、プラスチックよりも容易に変形可能であり、医薬品グレードの流体の用途で承認され、浸出又はガス移動に直ちに影響されない架橋された熱硬化性ゴムポリマーで作製される、請求項１に記載の医療装置。
【請求項４０】
前記環状本体は、前記プランジャと接触して、潤滑剤がさされた少なくとも一つの内向き部分を有する、請求項２３に記載の医療装置。
【請求項４１】
前記弾性プランジャシールは、前記弾性ウェブの径方向の外側に配置された、前向きの切欠き又は溝を備える、請求項１に記載の医療装置。
【請求項４２】
前記弾性ウェブは、前記引き込み可能な針の引き込み前に、前記針引き込みアセンブリの一部が接触する肉厚領域を備える、請求項１に記載の医療装置。